Podtech/llm-jp-corpus-v4-ja_patent huggingface dataset:
(57)【要約】【課題】        めがねのテンプルなどに装飾品を容易に交換でき、尚且つ見栄えを良くすることを課題とする。【解決手段】    メタルフレーム及びセルロイドフレーム、樹脂フレームのテンプルなどに、主にイヤリングに使用されている装飾品を、図１の４、５、６又図２の２−４、２−５、２−６のようにセッテイングを可能にして解決手段とする。【選択図】図１
2020144349.tif 000002
【特許請求の範囲】
【請求項１】
セルロイド、樹脂、メタル材のめがねの、テンプルの部分に装飾品を吊り下げるための小さな取り付け穴を数ヶ所施した、めがねのテンプル。
【請求項２】
セルロイド及び樹脂などのめがね材の、テンプルの部分の下面に小さなねじ穴を数か所施した、めがねのテンプル。
【請求項３】
請求項２に係る、前記ねじ穴にリングビス又はフックビスを装着されている、めがねのテンプルの。
【発明の詳細な説明】
【技術分野】
【０００１】  本発明はめがねのテンプル部などに装飾品の取り付けに関する。
【背景技術】
【０００２】  従来のめがねには材質など多種類でもって合成された、又彫刻を施したものや、塗装とか七宝など使用されたカラフルなものであった。
【先行技術文献】
【特許文献】
【０００３】
【特許文献１】特開２００２−１８２１６９号公報
【特許文献２】実録平２５−３１８８０７６号公報
【特許文献３】実録平２０−３１４４４４６号公報
【非特許文献】
【０００４】
【非特許文献１】パリミキ・メガネ  ｈｔｔｐ：／／ｗｗｗ．ｔｈｅｅｙｅｓ．ｊｐ／ｗｏｒｄｐｒｅｓｓ／？ｐ＝２６１９
【０００５】
【非特許文献２】株式会社シャルマン  ｈｔｔｐ：／／ｗｗｗ．ｃｈａｒｍａｎｔ．ｃｏ．ｊｐ／ｂｒａｎｄ／ｈｏｕｓｅ＿ｂｒａｎｄ／ｅｙｅｓｉｓ
【発明の概要】
【特許が解決しょうとする課題】
【０００６】  めがねの歴史は約１１５年位経って現在に至っているが、めがねが変わったと言えば特に材質でセルロイドめがねから樹脂めがねからメタルめがね、現在ではそれらの材料をミックスされ、さらにカラー模様とか、彫刻に七宝とカラフルな装飾はあります、これ以外な飾りは無い、特許文献１，２，３、などはあるようだが本発明に該当するものが見当たらない、発想を変えためがねのテンプルなどに吊り下げた装飾をする事で解決しょうとするものである。
【課題を解決するための手段】
【０００７】    従来にない装飾を施すもので、めがねのテンプル部分に針が通るほどの小さな取り付け穴を数か所施す、主にイヤリング等に使われている飾り、装飾品の既製品が多い中で本人好みに合ったものを選んび、サイズなども本人好みに合わせてセッティングする事を可能にして解決手段とする。
【０００８】  又セルロイド、樹脂のテンプルは厚みがあるためにテンプルの下の部分にねじ穴を数か所設けて図５のリングビスを又はフックビスなどをねじ込む事で解決手段とする。
【発明の効果】
【０００９】    従来のめがねの装飾は材質の違いとかコンビ材とか塗装、七宝などであった、本発明はテンプルを主として、図１，２の様にイヤリングなどに使用されてる装飾品を吊り下げた新たな効果がある、
【図面の簡単な説明】
【００１０】
【図１】  本発明のメタル材テンプルに装飾品をセットした側面図である。
【図２】  本発明のセルロイドまた樹脂材テンプルに装飾品をセットした側面図である。
【図３】  本発明のセルロイドまた樹脂材テンプルの下面に装飾品を掛けるリングビス差し込んだ側面図である。
【図４】  Ａ−Ａ図、本発明のセルロイドまた樹脂材テンプルにリングビスの取り付け穴を示す平面図である。
【図５】  リングビスの拡大図である。
【図６】  本発明に使用する装飾品の見本、一部をネットからコピーしたものである。
【発明を実施するための形態】
【００１１】  本発明は図１，２に示すメタル材及びセルロイド、樹脂材などのめがねのテンプルに装飾品を吊り下げ又取り付け用穴を施しためがねのテンプル部に装飾品取り付け。
【００１２】  本発明の図３，４に示す、セルロイド樹脂材のめがねのテンプルに装飾品を吊り下げのため図５のリング付きビスを図４の４−４〜４−８のねじ穴に装入する、めがねのテンプル部に装飾品取り付け。
【実施例】
【００１３】  めがねのテンプルにイヤリングなどに使用されてる装飾品を、好みに似合ったものを長さなど調整して図１に示す、４，５，６又図２に示す、２−４，２−５，２−６の様に吊り下げる。吊り下げ数量は好みで１点から複数点可能。【００１４】  めがねのメタル材とセルロイド又樹脂などは材質的に厚みが違うため、メタル材は図１に示す横穴でも良い、横穴の場合はタッピングビスでセッテイング可能。【００１５】  又セルロイド又樹脂などは材質的に厚みがあるので、図３，４に示す、テンプルの下面にねじ穴を施して図５のリングビスを装入して、図５のリングに装飾品を吊り下げ可能にする。
【符号の説明】
【００１６】  １          メタルフレーム
２          蝶番
３          メタルテンプル
４          クサリ付き装飾
５          クサリ付き装飾
６          クサリ付き装飾
７          装飾品吊り下げ穴
８          装飾品吊り下げ穴
９          セルロイド又は樹脂製、テンプルモダン
２−１      セルロイド又は樹脂製、フレーム
２−２      蝶番
２―３      セルロイド又は樹脂製、テンプル
２−４      クサリ付き装飾
２−５      クサリ付き装飾
２−６      クサリ付き装飾
２−７      装飾品吊り下げ穴
２−８      装飾品吊り下げ穴
３−１      セルロイド又は樹脂製、フレーム
３−２      蝶番
３−３      セルロイド又は樹脂製、テンプル
３−４      装飾品吊り下げリング
３−５      装飾品吊り下げリング
３−６      装飾品吊り下げリング
３−７      装飾品吊り下げリング
３−８      装飾品吊り下げリング
４−１      セルロイド又は樹脂製、フレーム
４―２      蝶番
４―３      セルロイド又は樹脂製、フレーム
４−４      リングビス装入ねじ穴
４−５      リングビス装入ねじ穴
４−６      リングビス装入ねじ穴
４−７      リングビス装入ねじ穴
４−８      リングビス装入ねじ穴
５−１      ビス
５−８      装飾品吊り下げリングビス  拡大図
【図１】
2020144349.tif 000003
【図２】
2020144349.tif 000004
2020144349.tif 000005
【図４】
2020144349.tif 000006
【図６】
2020144349.tif 000007
【手続補正書】
【提出日】令和1年5月16日(2019.5.16)
【手続補正１】
【補正対象書類名】図面
【補正対象項目名】全図
【補正方法】変更
【補正の内容】
【図１】
2020144349.tif 000008
【図２】
2020144349.tif 000009
【図３】
2020144349.tif 000010
【図４】
2020144349.tif 000011
【図５】
2020144349.tif 000012
【図６】
2020144349.tif 000013
(57)【要約】      （修正有）【課題】メガネのレンズの汚れを除去するとき、メガネのレンズに指が触れ皮脂汚れが再付着し汚れが残りやすく、またメガネのレンズがフレームと接する入隅部分が拭き取れず汚れが残りやすいので、メガネのレンズに指が触れず隅々まで除去するメガネのレンズ拭き棒を提供する。【解決手段】レンズ拭き棒１の先端にレンズ拭き面部２を設け、レンズ拭き面部２に汚れを除去するメガネクリーナー３を取り付け、メガネクリーナー３にメガネのレンズがフレームと接する入隅まで拭くために角４を設けた。【選択図】図１
2020144348.tif 000002
【特許請求の範囲】
【請求項１】
レンズ拭き棒（１）のレンズ拭き面部（２）を設け、レンズ拭き面部（２）に汚れの除去するメガネクリーナー（３）を取り付け、メガネクリーナー（３）にメガネのレンズがメガネのフレームと接する入隅まで拭くためにレンズ拭き角部（４）を設けたことを特徴とするメガネのレンズ拭き棒。
【請求項２】
レンズ拭き棒（１）の先端にレンズ拭き面部（２）を複数設けた請求項１のメガネのレンズ拭き棒。
【発明の詳細な説明】
【技術分野】
【０００１】  本発明は、メガネのレンズの汚れを除去するとき、メガネのレンズに指が触れ皮脂汚れが再付着し汚れが残りやすい欠点があったので、メガネのレンズに指が触れることなくメガネのレンズの汚れを除去するメガネのレンズ拭き棒に関するものである。
【背景技術】
【０００２】  従来のメガネ拭きは、ハンカチ状の布を使用し汚れをふき取るのが一般的である。
【先行技術文献】
【０００３】
【特許文献１】実用新案登録３１３１０４６号公報
【発明の概要】
【発明が解決しようとする課題】
【０００４】（イ）メガネのレンズの汚れを除去するとき、メガネのレンズに指が触れ皮脂汚れが再付    着し汚れが残りやすい欠点があった。
（ロ）メガネのレンズの汚れを除去するとき、メガネのレンズがフレームと接する入隅部    分が拭き取れず汚れが残りやすい欠点があった。
本発明は、以上のような欠点をなくすためになされたものである。
【課題を解決するための手段】
【０００５】  レンズ拭き棒の先端にレンズ拭き面部を設け、レンズ拭き面部に汚れの除去するメガネクリーナーを取り付け、メガネクリーナーにメガネのレンズがフレームと接する入隅まで拭くためにレンズ拭き角部を設けたレンズ拭き棒を片手で持ち、もう片方の手でメガネのフレームを持ち、レンズ拭き棒の先端でメガネのレンズを拭き、汚れをメガネのレンズに指が触れないで除去できるメガネのレンズ拭き棒。
【発明の効果】
【０００６】  本発明のメガネのレンズ拭き棒は、レンズ拭き棒の先端に汚れの除去するメガネクリーナーを設けた棒を手で持ってレンズ拭き棒の先端でメガネレンズを拭くことで、メガネのレンズに指が触れず、汚れの隅々まで除去することができる。
また、メガネクリーナーと併用することによって、簡単にメガネのレンズの汚れを除去できる。
【図面の簡単な説明】
【０００７】
【図１】  本発明の斜視図である。
【図２】  本発明のレンズ拭き棒の先端にレンズ拭き面部を複数設けた斜視図である。
【発明を実施するための形態】
【００１１】  以下、本発明を実施するための形態について説明する。
レンズ拭き棒（１）の先端にレンズ拭き面部（２）を設け、レンズ拭き面部（２）に汚れの除去するメガネクリーナー（３）を取り付け、メガネクリーナー（３）にメガネのレンズがメガネのフレームと接する入隅まで拭くためにレンズ拭き角部（４）を設けた。
本発明は、以上のような構造である。
本発明を使用するときは、メガネフレームを手で持ち、もう片方の手でレンズ拭き棒（１）を持ってレンズ拭き棒（１）の先端でメガネのレンズを拭き、汚れをメガネのレンズに触れないで隅々まで除去できるメガネのレンズ拭き棒である。
【符号の説明】
【００１４】  １  レンズ拭き棒
２  レンズ拭き面部
３  メガネクリーナー
４  レンズ拭き角部
【図１】
2020144348.tif 000003
【図２】
2020144348.tif 000004
(57)【要約】【課題】冷凍庫内の氷入れで氷同士がくっつかず、スムーズに氷を使用できる保存袋を提供する。【解決手段】冷凍庫使用時、外本体部１、２、３のアルミ蒸着フィルム素材で氷の溶けを防ぎ、本体内部５の厚手クラフト紙により微量の水滴を吸収し氷同士のくっつきを防ぐ。【選択図】図１
2020183276.tif 000002
【特許請求の範囲】
【請求項１】
アルミ蒸着フィルム素材の四角形の本体前後部（１）、本体マチ部（２）、本体底部（３）を有し、厚手クラフト紙素材の本体内部（５）を有するマチあり袋。
【請求項２】
外本体袋閉じ部（４）はマジックテープで、袋の開閉をし、内部外部縫い合わせ部（６）の縫い目は大きめで、簡単に糸カット、取り外しができるリサイクル可能な袋。
【発明の詳細な説明】
【技術分野】
【０００１】  本発明は冷凍庫使用時の保存氷同士のくっつきを防ぐ保存袋に関する。
【背景技術】
【０００２】  一般的に冷凍庫での氷保存は付属の容器または購入したプラスチック容器使用である。また購入した透明ビニール袋氷の場合、そのまま保存している事が多い。どちらの保存方法でも氷同士がくっつき、氷を使うたびに固い金属等で叩き割り、手間がかかって面倒である。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】  冷凍庫内の氷入れで氷同士がくっつかず、スムーズに使用できる保存袋を提供する。
【課題を解決するための手段】
【０００６】  冷凍庫の使用時、外本体部１、２、３がアルミ蒸着フィルム素材で氷の溶けを防ぎ、本体内部５の厚手クラフト紙により微量の水滴を吸収し、氷同士のくっつきを防ぐ。また、外本体部にアルミ蒸着フィルム素材を使用する事により内部本体部の厚手クラフト紙の劣化の進行が少なく長持ちする上、保冷効果も上がる。
【発明の効果】
【０００７】  本発明は０００６でも述べたように、外本体部１、２、３と本体内部５の二重構造により、氷同士のくっつきを防ぎ、使用する時の叩き割る手間を省きます。【０００８】  また、内部外部縫い合わせ部６の縫い目を大きくする事で、簡単に糸切りと外しができ、処分する時リサイクルゴミとして出せばエコにつながります。
【図面の簡単な説明】
【０００９】
【図１】本発明に係る保存袋の側面図である。
【図２】外本体部と本体内部の二重構造に係る上面図である。
【発明を実施するための形態】
【０００１０】  図１、２は本発明にある氷同士のくっつきを防ぐ袋の実施を示す。
【実施例】
【０００１１】  外本体部１、２、３をアルミ蒸着フィルム素材、本体内部５をクラフト紙の二重構造にしてある。【０００１２】  外本体袋閉じ部４は、マジックテープが取り付けてあり、袋の開閉をする。
【産業上の利用可能性】
【０００１３】  本発明は一般家庭の冷凍用に提案したものであるが、保存袋のサイズを大きくすれば外食産業等でも利用の可能性はある。またオリンピックや地域主催行事等の大きいイベントで大量の氷を使用する時、会場で大型クラーＢＯＸか、移動車内冷凍庫に保存袋を入れて氷を保存して使用できる。【０００１４】  本発明は氷同士のくっつきを防ぐための提案であるが、別の使い方の可能性もある。真夏は高温多湿により、生ゴミから悪臭がし、小バエ等が発生する。一般家庭なら生ゴミの量が少ないが、大きいイベントで大量のゴミが出ると、衛生上、環境美化上よろしくない。すぐ焼却できない場合、本発明の保存袋のサイズを大きくして生ゴミを入れ、大型冷臓庫か大型冷凍庫に保存しておけば衛生、環境美化が保たれます。
【符号の説明】
【０００１５】１  外本体前後部
２  外本体マチ部
３  外本体底部
４  外本体袋接着部
５  本体内部
６  本体内外縫い合わせ部
【図１】
2020183276.tif 000003
【図２】
2020183276.tif 000004
(57)【要約】【課題】ソケットやユニバーサルジョイントやエキステンションバーと組み合わせて利用可能で、ラチェットハンドルと比較すると軽量で単純な構造でありながら、ボルトまたはナットの状態によるソケット駆動抵抗の違いに対応した連続的なソケット駆動操作が容易なハンドルを提供する。【解決手段】  両端に抜け防止用の鋼球４を取り付けた円弧形状のハンドル主体にアダプターを該アダプターに設けた組付け孔に前記ハンドル主体を貫通、摺接させて成り、前記ハンドル主体の断面形を前記組付け孔の孔形とほぼ一致する正円形以外の形状とするとともに、円弧形状のハンドルの曲がりに沿った前記組付け孔の形状とし、アダプターの挿入体が円弧形状のハンドルの中心点方向と反対側を向く形状とする。【選択図】図１
2020183023.tif 000002
【特許請求の範囲】
【請求項１】
両端に抜け防止用の鋼球を取り付けた円弧形状のハンドル主体にアダプターを該アダプターに設けた組付け孔に前記ハンドル主体を貫通、摺接させて成り、前記ハンドル主体の断面形を前記組付け孔の孔形とほぼ一致する正円形以外の形状とするとともに、円弧形状のハンドルの曲がりに沿った前記組付け孔の形状とし、アダプターの挿入体が円弧形状のハンドルの中心点方向と反対側を向く形状としたソケットレンチ用ハンドル。
【発明の詳細な説明】
【技術分野】
【０００１】  本発明は、ソケットを駆動するためにハンドル主体にスライド可能なアダプターを取り付けた（ソケットと共にソケットレンチを構成する）ソケットレンチ用ハンドルに関する。
【背景技術】
【０００２】  ソケットを駆動するハンドルとして、Ｔ型スライドハンドル、Ｔ型ハンドル、クランクハンドル、スピーダーハンドル、ラチェットハンドルなどが公知である。
【先行技術文献】
【特許文献】
【０００３】
【特許文献１】特許４３６０９２７
【発明の概要】
【発明が解決しようとする課題】
【０００４】  従来は、軽量で単純な構造の工具としてはＴ型スライドハンドルを用いるのが一般的であった。しかしながら、アダプターをハンドルの中央位置とした操作時にボルトまたはナットの回転抵抗が少なくない状態時に手操作にて連続的に回転させるためにはハンドルの外周側に力を加える必要があるが、この場合に力を加える指がハンドルから離れやすく操作し辛いという問題があった。【０００５】  また、従来のＴ型スライドハンドルでは、ハンドルを片側にスライドさせた状態でハンドルを持って、途切れの無いソケット駆動力を発揮させる操作が難しかった。【０００６】  さらに、従来のＴ型スライドハンドルでは、ハンドル主体が棒状であるためにハンドルを握った状態において、接続したソケット部を操作対象のボルトまたはナットへ導き辛かった。【０００７】  本発明は、ソケットやユニバーサルジョイントやエキステンションバーと組み合わせて利用可能で、ラチェットハンドルと比較すると軽量で単純な構造でありながら、ボルトまたはナットの状態によるソケット駆動抵抗の違いに対応した連続的なソケット駆動操作が容易なハンドルを提供することを目的とする。
【課題を解決するための手段】
【０００８】  両端に抜け防止用の鋼球を取り付けた円弧形状のハンドル主体にアダプターを該アダプターに設けた組付け孔に前記ハンドル主体を貫通、摺接させて成り、前記ハンドル主体の断面形を前記組付け孔の孔形とほぼ一致する正円形以外の形状とするとともに、円弧形状のハンドルの曲がりに沿った前記組付け孔の形状とし、アダプターの挿入体が円弧形状のハンドルの中心点方向と反対側を向く形状とする。【０００９】  なお、ここでいうハンドル主体の断面形とアダプターに設けた組付け孔は両者を組み合わせた場合にハンドル主体周側面に沿って回動することを防止する形状であれば良い。もしくはハンドル主体に溝を設け、係止球によりアダプターがハンドル主体周側面に沿って回動することを防止してもよい。
【発明の効果】
【００１０】  本発明においては、アダプターをハンドルの中央位置とした場合の操作時にボルトまたはナットを回転させるために必要なトルクが低トルク（ハンドルの回転慣性で連続回転できる状態）から中トルク（ハンドルに指で力を与え続けることで連続回転できる状態）まで、指のかける位置を連続的に変化させやすく、指がハンドルの内周側から外周側いずれにおいても離れにくく操作がし易い。【００１１】  また、ソケットとユニバーサルジョイントとエキステンションバーを組み合わせて用い、アダプターをハンドル主体の一端側に移動させた状態とすることで、クランクハンドルやスピーダーハンドルに似た使用方法が可能となる。この場合はボルトまたはナットを回転させるための必要トルクが変動する状態や必要トルクが高い状態であっても、連続的なソケット駆動操作（ボルトまたはナットなどの締め付け操作や緩め動作など）が容易に可能となる。【００１２】  これらのことから、ボルトまたはナットを回転させるための必要なトルクが低い状態から高い状態、また回転させるためのトルクが変動する状態においても、このソケットレンチ用ハンドルにより操作が容易で効率的なソケット駆動操作が可能となる。【００１３】  さらに、ハンドル主体が円弧形状であるために、アダプターをハンドル主体の中央位置や片側にスライドさせた状態のいずれにおいても、ガングリップタイプのハンドルのような保持方法が可能となり、ハンドル主体を握った状態にて、接続したソケット部を操作対象のボルトまたはナットへ導き易い。
【図面の簡単な説明】
【００１４】
【図１】本発明に係る一部欠截正面図。
【図２】ハンドル主体を断面で示した図１の側面図。
【符号の説明】
【００１５】１  ハンドル主体
２  アダプター
３  組付け孔
４  抜け防止用の鋼球
５  係止球
６  ５が係離する受止穴
７  収納穴
８  コイルばね
９  挿入体
１０  係止球
１１  ソケット
【図１】
2020183023.tif 000003
【図２】
2020183023.tif 000004
(57)【要約】【課題】食材の品質を保ちつつ、速く解凍及び冷蔵保存できる解凍庫及び冷蔵庫の提供を目的とする。【解決手段】解凍室と、前記解凍室内の空気を置換するための過熱蒸気の供給手段とを備えたことを特徴とする。【選択図】  図１
2020183827.tif 000002
【特許請求の範囲】
【請求項１】
解凍室と、前記解凍室内の空気を置換するための過熱蒸気の供給手段とを備えたことを特徴とする解凍庫。
【請求項２】
冷蔵室と、前記冷蔵室内の空気を置換するための過熱蒸気の供給手段とを備えたことを特徴とする冷蔵庫。
【請求項３】
前記解凍室と前記冷蔵室との切り換え手段を備えたことを特徴とする解凍・冷蔵庫。
【発明の詳細な説明】
【技術分野】
【０００１】
本発明は、冷凍された食材を解凍でき、冷蔵できる解凍庫及び冷蔵庫に関する。
【背景技術】
【０００２】
肉，魚，果物等の各種食材を冷凍保存し、必要になった際に解凍して調理に供することが行われている。
しかし、解凍の際にドリップ等と称される、いわゆる旨味成分が溶出したり、食材の外側と内部とで解凍にバラツキが生じ、食材本来のおいしさが保持されない問題があった。
【０００３】
例えば、冷凍食材を室温等にて自然解凍すると、解凍バラツキが生じるのみならず、その後に、冷蔵保存するのが難しい。
また、冷凍食材を冷蔵室にて解凍しようとすると、その解凍時間が長くなり、場合によっては数十時間も要することになり、調理のタイミングに間に合わなくなる問題があった。
【０００４】
特許文献１には、冷蔵室とは別に０℃〜−５℃に保った解凍室を設ける技術を開示するが、このような解凍温度では−４０℃〜−６０℃等にて冷凍された食材を解凍するのに長時間かかってしまうものである。
【先行技術文献】
【特許文献】
【０００５】
【特許文献１】特開２０１３−２０１９４１号公報
【発明の概要】
【発明が解決しようとする課題】
【０００６】
本発明は、食材の品質を保ちつつ、速く解凍及び冷蔵保存できる解凍庫及び冷蔵庫の提供を目的とする。
【課題を解決するための手段】
【０００７】
本発明に係る解凍庫は、解凍室と、前記解凍室内の空気を置換するための過熱蒸気の供給手段とを備えたことを特徴とする。
また、本発明に係る冷蔵庫は、冷蔵室と、前記冷蔵室内の空気を置換するための過熱蒸気の供給手段とを備えたことを特徴とする。
また、この解凍室と冷蔵室の切り換え手段を有していてもよい。
【０００８】
ここで、冷凍食材（食品）は、家庭用の冷凍室（−１８℃以下）に保存されていた冷凍食材のみならず、業務用の温度が−３０〜−８０℃の超低温冷凍食材も含まれる。
例えば、マグロ等の魚類は−４０℃以上になると、身が黒っぽく変色する恐れがあるので、−５０℃以下にて保存されている。
【０００９】
本発明者は、−４０〜−６０℃に冷凍保存されていた食パン及び刺身用マグロを用いて、いろいろな条件にて解凍することを比較研究した。
その結果、解凍室内にドライスチームと称される乾燥した３００〜５００℃の過熱蒸気をごく少量だけ噴き込むと、変色やドリップを生じさせることなく解凍できることが明らかになった。
これは、解凍室に過熱蒸気を供給することで、解凍室の空気が外に追い出され（置換され）、この解凍室内が低酸素状態の還元雰囲気になるためと推定された。
【００１０】
これにより、解凍室を１０〜１５℃の適度の温度に温調すると、約２〜３時間程度の短時間で食材本来の鮮度，旨味等を維持しながら解凍できた。
【００１１】
この解凍した食材を１０℃以下、例えば２〜６℃の冷蔵庫で冷蔵保存する場合にも冷蔵室に３００〜５００℃の加熱蒸気を噴き込むだけで変色やドリップもなく、長期に保存できた。
【発明の効果】
【００１２】
本発明においては、解凍室や冷蔵室内に過熱蒸気を噴き込み、内部の空気を過熱蒸気で置換したことにより、食材の品質を保ちながら解凍や冷蔵保存ができる。
【図面の簡単な説明】
【００１３】
【図１】本発明に係る解凍庫，冷蔵庫の構造例を示す。
【図２】過熱蒸気発生器の例を示し、（ａ）は正面図、（ｂ）は斜視図を示す。
【発明を実施するための形態】
【００１４】
本発明に係る解凍庫，冷蔵庫の構造例を図１に示す。
解凍庫と冷蔵庫とを相互に切り換えることができるものも含む。
解凍庫や冷蔵庫１０は、食材を入れておく解凍室や冷蔵室を有し、その中に必要に応じて複数段の仕切棚１２を有する。
扉の構造は、スライド式でも前後方向の開閉式でもよく、その構造例に制限はない。
【００１５】
本発明において特徴的なのは、過熱蒸気発生器２０を備えており、その発生条件が操作パネル１３にて解凍条件や冷蔵条件と一体的に制御されている点にある。
解凍室は、解凍後にそのまま冷蔵室となるように切り換え制御されていてもよく、解凍室と冷蔵室を別々に設けてもよい。
【００１６】
過熱蒸気発生器２０は、水を沸騰させて水蒸気を得た後にこの水蒸気が１００℃を超える、例えば３００〜５００℃に過熱することで乾燥した過熱蒸気を発生させるものであれば、その構造に制限はない。
本発明において、過熱蒸気は食材を加熱するものではなく、解凍室内や冷蔵室内の空気を外部に追い出して、低酸素状態にするのが目的である。
よって、発生量はごく僅かでよい。
例えば、図２に示すように沸騰室２１に加熱ヒーター２１ａ，２１ｂを配置して、この沸騰室２１に注入した水を加熱し、沸騰させることで水蒸気を発生させ、これを連結部２３を介して上側のパイプ状の過熱室２２に誘導する。
この過熱室２２は、水蒸気を３００〜５００℃の高温に過熱するための過熱ヒーター２２ａを設けてある。
過熱室２２にて得られた過熱蒸気は、解凍室（冷蔵室）１１内に設けた供給孔１４から供給される。
過熱蒸気の供給量は、解凍室等の気密度にもよるが、一旦内部の空気が過熱蒸気に置換されれば、その状態が維持できる程度の供給量でもよい。
例えば、１分当たり解凍室の室内容量と同程度〜１０倍程度の過熱蒸気量が供給できればよい。
【００１７】
このように、解凍庫を用いて刺身用のマグロ，−６０℃の冷凍食材を約１５℃の室内温に温調し、過熱蒸気を供給したものとしないもので比較した。
その結果、過熱蒸気を供給しながら解凍したものは赤身のままであったのに、過熱蒸気を供給しなかったものは黒っぽく変色した。
【００１８】
過熱蒸気を供給しながら解凍した上記のマグロを、次に解凍室を５℃付近の冷蔵条件に切り換え、そのまま２５時間冷蔵保存したものと、過熱蒸気の供給を止めて２５時間冷蔵保存したものを比較した。
なお、冷蔵保存は発泡スチロール容器にマグロを入れ、ラップ包装した。
その結果、過熱蒸気を供給したものは何ら変化が認められなかったが、過熱蒸気を供給しなかったものは、黒っぽくなるだけでなく、容器内にドリップが溶出していた。
このことから、過熱蒸気を室内に供給することで、食材の品質を保ちながら解凍したり、冷蔵保存することができることが明らかになった。
【符号の説明】
【００１９】
１０      解凍・冷蔵庫
１１      解凍室（冷蔵室）
１２      仕切棚
１３      操作パネル
１４      供給孔
２０      過熱蒸気発生器
２１      沸騰室
２２      過熱室
２３      連結部
【図１】
2020183827.tif 000003
【図２】
2020183827.tif 000004
(57)【要約】【課題】  高反応性の脂環式エポキシ基を有する高屈折率の新たなケイ素材料を提供する。【解決手段】  脂環式エポキシ基を有する高屈折率のケイ素材料である１，５−ビス（β−（３，４−エポキシシクロヘキシル）エチル）−１，１，５，５−テトラメチル−３，３−ジフェニル−トリシロキサン【選択図】なし【特許請求の範囲】
【請求項１】
１，５−ビス（β−（３，４−エポキシシクロヘキシル）エチル）−１，１，５，５−テトラメチル−３，３−ジフェニル−トリシロキサン
【発明の詳細な説明】
【技術分野】
【０００１】  本発明は、高い反応性を有する脂環式エポキシ基を有する高屈折率の新たなケイ素材料に関する。
【背景技術】
【０００２】  エポキシ基をケイ素上に持つ材料は、エポキシ樹脂にケイ素材料の持つ高い耐熱性や可とう性などを付与することができることからエポキシ樹脂の改質材料として重要な材料と位置付けられている。
【先行技術】
【０００３】  エポキシ基をケイ素上に持つ材料としてはグリシドキシプロピル基やβ−（３，４−エポキシシクロヘキシル）エチル基がケイ素に結合した材料が知られている。前者の方がより一般的な材料として用いられているが、反応性は後者の方がより高い反応性を有しており、高い反応性を要求する用途では後者の材料が求められる。
【０００４】  エポキシ基をケイ素上に持つ材料のエポキシ基以外の置換基としてはメチル基が一般的であり、１，３−ビス（グリシドキシプロピル）−１，１，３，３−テトラメチルジシロキサンあるいは、１，３−ビス（β−（３，４−エポキシシクロヘキシル）エチル）−１，１，３，３−テトラメチル−ジシロキサンが知られているが、屈折率はそれぞれ１．４５２および１．４７６となり、高屈折率を有するエポキシ樹脂の通常の屈折率である１．５以上の値に対して低いために相溶性に難があり反応性や透明性等の物性に問題が生ずる場合があった。
【０００５】  問題の解決のために、フェニルメチル基を持った１，５−ビス（グリシドキシプロピル）−３−フェニル−１，１，３，５，５−ペンタメチル−トリシロキサンが合成されているが、屈折率が１．４７６３と、まだ低いためエポキシ樹脂への添加では溶解性が不十分であった。
【０００６】  さらに屈折率を高くするため、ジフェニル基を持った１，５−ビス（グリシドキシプロピル）−３−フェニル−１，１，３，５，５−ペンタメチル−トリシロキサンを合成したところ、屈折率は１．５０７３と高まったが、より高い屈折率と反応性が得られる材料が求められていた。
【先行技術文献】
【非特許文献】
【非特許文献１】Ｇｅｌｅｓｔ  Ｓｉｌａｎｅｓ＆Ｓｉｌｉｃｏｎｅｓ  ＨＡＮＤＢＯＯＫ  Ｇｅｌｅｓｔ  ５０００−Ａ（Ｊ）  品番  ＳＩＢ１１１５．０
【非特許文献２】Ｇｅｌｅｓｔ  Ｓｉｌａｎｅｓ＆Ｓｉｌｉｃｏｎｅｓ  ＨＡＮＤＢＯＯＫ  Ｇｅｌｅｓｔ  ５０００−Ａ（Ｊ）  品番  ＳＩＢ１０９２．０
【非特許文献３】Ｇｅｌｅｓｔ  Ｓｉｌａｎｅｓ＆Ｓｉｌｉｃｏｎｅｓ  ＨＡＮＤＢＯＯＫ  Ｇｅｌｅｓｔ  ５０００−Ａ（Ｊ）  品番  ＳＩＢ１１１０．０
【発明の概要】
【発明が解決しようとする課題】
【０００７】  本発明は、高反応性のエポキシ基を有し、エポキシ樹脂に相溶性の高い高屈折率を持つケイ素材料を提供することを目的とする。
【課題を解決するための手段】
【０００８】  本発明は、１，５−ビス（β−（３，４−エポキシシクロヘキシル）エチル）−１，１，５，５−テトラメチル−３，３−ジフェニル−トリシロキサンからなる。
【発明の効果】
【０００９】  本発明の１，５−ビス（β−（３，４−エポキシシクロヘキシル）エチル）−１，１，５，５−テトラメチル−３，３−ジフェニル−トリシロキサンは高い反応性を有する脂環式エポキシを持ち、かつこれまでにない高い屈折率を持つためにエポキシ樹脂との相溶性に優れ、エポキシ樹脂の高い改質効果が得られる。
【発明を実施するための形態】
【００１０】  １，５−ビス（β−（３，４−エポキシシクロヘキシル）エチル）−１，１，５，５−テトラメチル−３，３−ジフェニル−トリシロキサンはビニルシクロヘキセンオキシドと１，１，５，５−テトラメチル−３，３−ジフェニル−トリシロキサンとをヒドロシリル化反応して得ることができる。
【００１１】  ヒドロシリル化反応は通常用いられる塩化白金酸のイソプロパノール溶液や白金のジビニルテトラメチルジシロキサン錯体などの白金触媒を用いて達成することができるが詳細は実施例で示す。
【実施例】
【００１２】本発明の１，５−ビス（β−（３，４−エポキシシクロヘキシル）エチル）−１，１，５，５−テトラメチル−３，３−ジフェニル−トリシロキサンの合成を実施例により詳細に説明する。なお、同定は核磁気共鳴スペクトル（ＮＭＲ）、赤外吸収スペクトル（ＦＴＩＲ）、エポキシ当量測定によりおこなった。
【実施例１】
【００１３】  還流管、滴下ロート、温度計を備えた５００ミリリットルの三口丸底フラスコにビニルシクロヘキセンオキシドを１６７．２ｇ入れ、白金含有量が４％のジビニルテトラメチルジシロキサン錯体のジビニルテトラメチルジシロキサン溶液を４２ｍｇ添加して磁気撹拌子で撹拌しながら加熱し、１４０℃で加熱を止め、１，１，５，５−テトラメチル−３，３−ジフェニル−トリシロキサン２１９．５ｇを、１４０℃を維持しながらゆっくりと滴下した。滴下中は発熱反応が起こり加熱しなくても温度を維持することができた。滴下終了後加熱して１４０℃を３０分維持し、過剰のビニルシクロヘキセンオキシドを減圧下留去した。収量１９７ｇを得た。これは滴下した１，１，５，５−テトラメチル−３，３−ジフェニル−トリシロキサンに対して９９％の収率であった。屈折率は１．５２００で、測定したエポキシ当量は３００であった。なお、エポキシ当量の理論値は２９１である。
【産業上の利用可能性】
【００１４】  本発明の１，５−ビス（β−（３，４−エポキシシクロヘキシル）エチル）−１，１，５，５−テトラメチル−３，３−ジフェニル−トリシロキサンは高い反応性、および高屈折率による良好な相溶性を持ち、各種エポキシ樹脂のシロキサン変性材料として有用である。
【図面の簡単な説明】
【００１５】
【図１】  １，５−ビス（β−（３，４−エポキシシクロヘキシル）エチル）−１，１，５，５−テトラメチル−３，３−ジフェニル−トリシロキサンのＮＭＲチャートである。
【図２】  １，５−ビス（β−（３，４−エポキシシクロヘキシル）エチル）−１，１，５，５−テトラメチル−３，３−ジフェニル−トリシロキサンのＩＲチャートである。
【図１】
2020183365.tif 000002
【図２】
2020183365.tif 000003
(57)【要約】      （修正有）【課題】一般的に流通している手袋は手首部、手甲部及び指先全体を被覆して保温するが携帯電話などを使用する時は脱着が必要であり、この脱着の煩雑さを解決するハンドウォーマーを提供する。【解決手段】本発明は、保温状態を維持しながら素手の指先が必要な時は脱着することなく一時的に指先部を筒状被覆体から露出させて指先を使用するが出来る特徴を有するハンドウオーマーである。筒状被覆体をハンドバッグ等へ収納することなく持ち歩く場合、筒状被覆体下部内側に設けた穴開部を利用し布地、皮革地または金属の鎖などによりリングを形成し、このリングまたは他の連結具などを利用してハンドバッグなどに掛けることが可能である。本発明はワッペンを取り付ける、刺繍を施す、ネームタグを取り付けるなど、従来の手袋およびハンドウオーマーと比較してファッション性の効果も上記の機能と併せて期待できる製品である。【選択図】図２
2020133088.tif 000002
【特許請求の範囲】
【請求項１】
手首から指先まで覆う布または毛皮等の材料で製作した筒状被覆体にその内側中間部の片面に取付けた紐状のループを取り付け固定したことを特徴とするハンドウオーマー。
【請求項２】
手首から指先まで覆う布または毛皮等の材料で製作した筒状被覆体とその内側片面に取付けた紐状のループを固定したことを特徴とするハンドウオーマー。
【請求項３】
筒状被覆体と内側に紐状ループを固定したハンドウオーマーの持ち運びのために筒状被覆体の一部に穴開部を設け紐や鎖などを通しバッグ、鞄及びナップザックなどに掛けて留め置くことが出来るようにしたハンドウオーマー。
【発明の詳細な説明】
【技術分野】
【０００１】  本発明は、手首から指先まで布または毛皮等の材料で筒状に被覆し、被覆体内側片面に固定した一本の弛みをもった指差込み用紐状ループに指を通した状態で常時保温され、素手の指先で携帯電話などを操作する場合には指を紐状ループに架けたまま被覆体の先端開口部に移動させ指を露出した状態で被覆体を脱着せずに操作可能としたハンドウオーマーである。
【背景技術】
【０００２】  一般的に流通している手袋は手首、手甲部及び指先部の全体を被覆したものであり、素手の指先を使用する場合は手袋を脱着しなければならない煩雑さがある。【０００３】  被覆体を脱着せずに指先だけ素肌が露出しているハンドウオーマーは特許文献２の図４にみられるように指先部等が露出されているため指先部は常時保温機能がない。【０００４】  さらに、指先部だけが露出されたハンドウオーマーは作業用のものとして認められるがファッション性に劣る。
【先行技術文献】
【特許文献】
【特許文献１】実用新案登録第３１３１０８６号（図２）
【特許文献２】実用新案登録第３１０４３９６号（図４）
【発明の概要】
【発明が解決しようとする課題】
【０００５】  一般的に流通している被覆体の手袋は手首から指先までの保温効果を期待できるが携帯電話などを使用する場合には手袋を脱着しなければならない。この脱着の煩雑さを解決することを目的としたハンドウオーマーである。【０００６】  手袋から脱着しないで素手の指先が使用可能とした前記特許文献２は図４にみられるようにように指先の保温に対しては無防備のハンドウオーマーである。【０００７】  指先だけが露出されたハンドウオーマーの形状は作業用手袋とするイメージがありファッション性に欠ける。
【課題を解決するための手段】
【０００８】  本発明は、手首、手甲部及び指先部の全体を保温する筒状被覆体と素手の指先が必要な時においても脱着することなく紐状ループに指を差し込んで筒状被覆体と手を一体にしながら指先部を露出することが出来る特徴を有するハンドウオーマーである。【０００９】  本発明は、一般的に流通している手袋や前記特許文献２図４になどに見られるような形状が限定されたものと異なり、図５にあるように外面は単純な矩形等形状でありデザイン模様の自由性、装飾品の取り付位置の自由性などファッション性が高い。
【発明の効果】
【００１０】  本発明においては、被覆体が手首部及び指先まで被覆されているので一時的に指先を露出す時を除いて常時保温効果が維持される。【００１１】  筒状被覆体に取り付けた紐状ループ３に図２の手４．３の中指を差し入れることにより連結されているので着用しているという一体感および安定感がある。【００１２】  携帯電話の操作時や定期券の出し入れ時には手４を筒状被覆体先端開口部に移動させ指先部４．３を一時的に露出させて使用することが可能である。【００１３】  指先部が露出した状態でも筒状被覆体と図２の手４とは紐状ループ３で連結されているので指先使用の目的に応じて、また紐状ループの弛みの範囲内において露出範囲を調整することを可能とした保温機能性の高いハンドウオーマーである。
【図面の簡単な説明】
【００１４】
【図１】筒状被覆体内側概略図である。
【図２】筒状被覆体装着時内側概略図である。
【図３】図２のＡ−Ａ線断面図である。
【図４】素手の指先が露出した状態の筒状被覆体内側概略図である。
【図５】筒状被覆体の立体概略図である。
【図６】筒状被覆体にとり付けたリング
【発明を実施するための形態】
【００１５】  筒状被覆体１は手首、手甲部及び指先部の全体を被覆し保温する。被覆体は保温効果の高い毛足のある繊維または毛皮等で製作することが望ましい。
【００１６】  筒状被覆体１の手首部１．１は手３が筒状被覆体１に容易に挿入できるように、また手首部が良好な感触の得られる材質の裏地を付けることが望ましい。
【００１７】  筒状被覆体１の内側の片面に指部４．３の付け根部に相当する位置に指と指で挟める感触のある適当な太さの紐状ループ３を取り付け固定する。
【００１８】  紐状ループ３は手４の移動を制限するが指の先端が露出して使用するのに具合の良い弛みとする。
【００１９】  筒状被覆体を脱着して持ち歩く場合、ハンドバッグ、ナップザックおよび鞄などに掛けて持ち運びが出来るように筒状被覆体の下部内側に設けた図５の５に示す穴開部を利用して布地、皮革地または金属の鎖などで構成されたリングを使用し、または他の連結具等と連結して、ハンドバッグ、ナップザックおよび鞄などに掛けて手軽に持ち運べるようにする。
【符号の説明】１      筒状被覆体
２      裏地
３      紐状ループ
４      手
１．１  筒状被覆体の手首部
１．２  筒状被覆体の手甲部
１．３  筒状被覆体の指部
４．１  手の手首部
４．２  手の手甲部
４．３  手の指部
５      穴開部
６      連結用リング
【図１】
2020133088.tif 000003
【図２】
2020133088.tif 000004
【図３】
2020133088.tif 000005
【図４】
2020133088.tif 000006
【図５】
2020133088.tif 000007
【手続補正書】
【提出日】令和1年8月8日(2019.8.8)
【手続補正２】
【補正対象書類名】明細書
【補正対象項目名】００１４
【補正方法】変更
【補正の内容】
【００１４】
【図１】筒状被覆体内側概略図である。
【図２】筒状被覆体装着時内側概略図である。
【図３】図２のＡ−Ａ線断面図である。
【図４】素手の指先が露出した状態の筒状被覆体内側概略図である。
【図５】筒状被覆体の立体概略図である。
(57)【要約】【課題】スムーズに取っ手を掴む事が出来、作業効率が上がる爪形状のマグネット付き手袋を提供する。、【解決手段】手袋（１）の指（２）先に突出した爪形状マグネット（３）を設けたマグネット付き，若しくは帯びさせた物、または、練りこんだりした物を設けることを特徴とする【選択図】図１
2020133087.tif 000002
【特許請求の範囲】
【発明の詳細な説明】
【技術分野】
【０００１】この発明は、石油缶（一斗缶）を持ち上げる際、簡単に取っ手をつかみ、持ち上げる事が出来る爪形状マグネットつき手袋に関するものである。
【背景技術】
【０００２】従来、手袋を、はめたままで、石油缶を、持ち上げるのに、取っ手を素早く、つかむ事が、難しかつた。
【先行技術文献】
【０００３】▲１▼特開２０００−２３４２１０
▲２▼実開平４−１１４５０８号広報
▲３▼実開平５−０７２９１６号広報
▲４▼実開平５−００５８０５号広報
▲５▼実開平７−００２４２４号
▲６▼実用新案昭６１−０２４４１４号
▲７▼実用新案昭６２−１７５０１９号
【発明の概要】
【発明が解決しようとする課題】
【０００４】従来のものは、次のような欠点があつた。
（イ）空缶のスチールとアルミの分別管理に特化したものだつた。
（ロ）それ故に、取っ手に、手袋の指が掛からず、持ち上げるのが、困難だつた。
（ハ）雨の時とか、水に濡れているときは、特に困難だつたり、
（二）指先では、微細な物を、掴む事が困難だつた。
本発明は、以上のような欠点をなくすためになされたものである。
【課題を解決するための手段】
【０００５】手袋（１）の指（２）先に、突出した爪形状のマグネットを、付けたり又は帯びさせた物や、練りこんだ物（３）を設ける。
本発明は、以上の構成よりなる、爪形状マグネットつき手袋である。
【発明の効果】
【０００６】手袋の指先が、爪形状のマグネットを、帯びているので、晴雨に関係なく、スムーズに取っ手を掴む事が出来、作業効率が上がり、微細な物も上手く捕まえる事が出来るようになった。
【図面の簡単な説明】
【０００７】
【図１】  本発明の正面図である。
【図２】  本発明の横からの拡大図である。
【発明を実施するための形態】
【０００８】以下、本発明を実施するための形態について説明する。
手袋（１）の指（２）先の部分に、突出した爪形状のマグネットを帯びた物，又は練りこんだ物（３）を設ける。
本発明は、以上のような構成である。
これを使用するときは、爪形状のマグネットつき手袋で、石油缶の取っ手を、起こして、手を差し入れて、持ち運ぶことが、容易になる
【符号の説明】
【０００９】１    手袋
２    手袋の指
３    爪形状のマグネットを帯びた物、又は練りこんだ物。
【図１】
2020133087.tif 000003
【図２】
2020133087.tif 000004
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
手袋（１）の指（２）の先部に、突出した人の手の指の爪形状を有するマグネットを付けたこと、又は、マグネットを帯びさせた物，若しくは、マグネットを練りこんだりした物（３）を設けたことを特徴とする、指先に爪形状を設けたことを特徴とするマグネット付手袋。
(57)【要約】【課題】撚り回数少なく甘打ちに製綱で長い尺と２００ｍの重量も５％程軽く成り破断強力も強化の効果大の発生と同時に撚り数少なく甘打ちによる手応えの無いダラダラ感の発生で作業性を失う課題が発生。  とＰＰ  ＰＥ  と素撚り素打ちのストラン芯に  強化糸（２）  を挿入して  以前以上の強化ロープの構成。【手段】課題  解決に図示  モノ糸０，８ｍｍ（１）原糸をストラン芯に挿入，直径４，５ｍｍ  ５，５ｍｍ三つ撚りロープストラン芯に１本×３つ撚りロープを海苔養殖の支柱にくくり付けて海水面に合わせて網の上げ下げ考案ロープを両手でしめるも緩めるも図示モノ糸０，８ｍｍ（１）の原糸の弾性反発力の応用の、モノ糸０，８ｍｍ（１）の挿入と同時に図示  強力糸（２）を  （ナイロン  エステル糸と強力撚糸等）を挿入してＰＰ  ＰＥロープ  各分径ロープをＪＩＳ規格以上に強化  構成。【選択図】図１
2020133086.tif 000002
【特許請求の範囲】
【請求項１】
ＰＰ  ＰＥ等で製糸のモノフイラメント糸  直径０，８０ｍｍ程の  モノ糸０，８ｍｍ（１）の弾性反発力を応用して  しばり易く、ほどき易く  滑り難い  甘撚りで手応えの無いダラダラ感をモノ糸０，８ｍｍ（１）をストラン芯に挿入でダラダラ感  解消した構成。
【請求項２】
ＰＰ  ＰＥ  ロープと  通称  素撚り素打ち雑ロ―プのストラン芯に図示の  強力糸（２）の内容は（ナイロン  エステル糸複合  単合ヤーンに漁網糸  タイヤ強化用タイヤコード撚糸等）をストランの芯に挿入して破断強度の強化の構成。
【発明の詳細な説明】
【技術分野】
【０００１】  ポリプロピレン（略ＰＰ）  ポリエチレン（略ＰＥ）ロープストランの芯にモノフイラメント原糸  （略  モノ糸０，８ｍｍ（１）強力糸  （２）を挿入に関する
【背景技術】
【０００２】漁業  土木  建築  等で使用のロープの撚り方は普通撚り直径の２，８倍〜３，２倍のＰＰ  ＰＥ，ロープ等の使用が主流です、直径の３，５〜４，０倍に製綱で使用可能にした考案。
【先行技術文献】
【０００３】特許文献  無し
【発明の概要】
【発明が解決しようとする課題】
【０００４】ロープの直径の３，５〜４，０倍に製綱はロープの長尺を得て、ロープ破断力強化、１ｍ当たりの重量も軽く成り、有効点多々ですが  撚り数少なく  撚り長  甘撚りで手応え無く成り作業性を失う課題と。４，０ｍｍ〜５，５ｍｍ３つ撚りロープ青海苔養殖網の吊りロープの作業性撚り具合の調整  とくにＰＥ素材ロープ年々堅く成り、養殖者の意見等で撚り決定困難に付き「０００５」に説明のモノ糸０，８ｍｍ（１）を創案。
【課題を解決するための手段】
【０００５】「０００４」の課題  図示のストラン芯にＰＰ、ＰＥ等で製糸の直径０，８ｍｍ  程のモノフイラメント原糸  モノ糸０，８ｍｍ（１）を撚り数少なく甘打ちＰＰロープ直径５，５ｍｍのストラン芯に挿入して  モノ糸０，８ｍｍ（１）の弾性反発力を応用して  結び易く，ほどき易く、滑り難く  の作業性を得る。  ＰＰ  ＰＥ等の撚り数少ない撚り長  甘打ちロープストランの芯に図示の  モノ糸０，８ｍｍ（１）と  強力糸（２）の混合撚を挿入し、引っ張り強度をＪＩＳ規格以上の強度化を得る。
ＰＰロープ撚り数少なく甘撚り直径５，５ｍｍ  ３つ撚りロープのストランにモノ糸０，８ｍｍ（１）を１本×３本の三つ撚りロープの引っ張り破断強度３８７ｋｇ  『ＪＩＳ規格は３３０ｋｇ』。
更にＰＰ  ＰＥロープストランドの芯に強化糸（２）を挿入時は４００ｋｇ以上の破断強度確実。強力糸（２）を芯に挿入でＰＰ  ＰＥ  ロープの各分径はＪＩＳ規格以上の強化を得る。
尚、ＰＰ  ＰＥの多色フイルム、雑色糸黒色等（通称）雑ロープ直径３ｍｍ〜１６ｍｍのストランの前工程のヤーン工程を省き、フイルム原糸等の直撚り「素撚り打ち」ロープストランの芯に  強力糸（２）を挿入して撚り数少なく甘打ちロープはモノ糸０，８ｍｍ（１）強化糸（２）と共に挿入して、今まで以前の素打ちロープ以上の強化ロープを得る。
【発明の効果】
【０００６】本案の４，０ｍｍ〜５，５ｍｍロープを海苔養殖に養殖網を吊るための支柱にくくり付け、潮の満ち引きで海水面の変化に合わせて海苔網の上下操作を作業用に支柱にくくり付けて滑らず  結び易く  ほどき易く、ロープのくくり目を両手指で締め緩めて海苔網の上下の調整  作業を容易に能率化にモノ糸０，８ｍｍ（１）の考案で撚り決定の心配が半減した。
図示の  モノ糸０，８ｍｍ（１）と強力糸（２）を混合挿入して各分径ロープ  組紐はＪＩＳ規格以上の強度化を得る。、
「０００５」に説明の多色糸素打ち雑ロープの芯に強力糸（２）をストラン芯に挿入して強化ロープに用途拡大。
【図面の簡単な説明】
【０００７】
【図１】  ３つ撚りロープの断面図
【発明を実施の形態】
【０００８】本案は撚り数少なく撚り甘打ちロープにモノ糸０，８ｍｍ（１）をストラン芯に挿入効果で結び安く、ほどき安く、滑り難く  の作業性アップを得て、強力糸（２）をストラン芯に挿入で  ＰＰ  ＰＥと雑色雑糸ＰＰ黒色素打ちロープ（通称）雑ロープの破断力強化で本案ロープの用途の拡大に起用  貢献。
【符号の説明】
【０００９】（１）モノ糸０．８ｍｍ                    （２）強力糸
【図１】
2020133086.tif 000003